(57)【要約】【課題】感震と同時にロックが掛かり、振動中もロックが解除される事の無く、振動が無くなれば自動的にロックを解除するように機能する信頼性の高い感震ロック装置の提供。【解決手段】  ロック装置本体１内に球４を有し、球４の転がる床面に球４の動く方向をＸ字状にＸ溝部１Ｂを設け振動中この溝に沿って球４が動く様ガイドし、振動が無い時に球が戻る位置の底面センター１Ａを通らないように、障害突出部１Ｄを有し、振動が無くなった時に緩やかな勾配でたま４がゆっくり底面センター１Ａに戻れる狭い面を有す事により振動中はロック、振動がやめば解除の信頼性の高い装置とする事が出来る。【選択図】図１
2006090110.tif 000002
【特許請求の範囲】
【請求項１】
地震等の振動により、扉、戸棚等の開き、又は転倒を防止したい物に取り付けられる係止具とこれに関係して開き、又は転倒を防止するロック装置本体とからなり、このロック装置本体に球を収納し、球がロック装置本体内でＸ字状に転がる様ガイドするガイド溝をその他の部分より低くし、しかも、Ｘ字状のセンター向かい緩やかに低くなる傾斜が有り、センターが底面で最も低い凹部となり、振動が停止する時、或いは振動が無い時、球がここに停止する安定位置で、球と上部で接する係止体の位置でのみ、ロックされない様、係止体の球が接する部分も球の上面で下面に対し最も凹となっており、かつ球が転がる方向を一部制約する障害突出部分と、振動が停止した時に底面のガイド溝方向とは異なる方向でゆっくりであれば安定位置に戻れる狭い面を下面に持つ感震ロック装置。
【発明の詳細な説明】
【技術分野】
【０００１】  本発明は地震時に開き扉、引き出し、棚、収納箱等が開いてしまったり、倒れてしまうのを防止する感震ロック装置に関する。
【背景技術】
【０００２】  この種の装置についての必要な技術は、球、ばね、重力、或いは電源等を利用し、係止体を係止具に振動時に自動的にロックし、振動が停止した時の解除を自動的、或いは人為的にする事や、係止体が他の振動物と独立に動かせる事により振動中にロックが解除されるチャンスを軽減する各種の工夫が成されてきた。
例えば、球を利用した物においては振動が無い時に球が静止安定する位置に戻ると係止体がロックをはずす様になっている為、振動中にその位置を通るチャンスを減らす為、係止体は扉等が開いたり揺れたりする動きとは独立の動き、戻りの動きをさせているが、更に複数の球にしたり、或いは振動が有った時、重力で突起物が落ちロックさせ、振動が収まってからはロック解除に別の作業を必要とする物も有った。
無論、感震センサーを用い、係止体を電磁石で動作させロックし、振動が停止すれば感震センサーで判断し電気的に解除するも使用されていた。
【発明の開示】
【発明が解決しようとする課題】
【０００３】  前述の球を使用した方式において、振動中に振動が無い時、球が静止する安定位置を通ると振動中ロックを解除する事となる為、振動中には安定位置を通らない様にする事がキーであり、係止体を他の動き、振動とは独立の動きをさせた上、構造、機構が複雑でなく、調整も簡単で、振動時自動的に作動し、振動が無くなれば自動的に解除する信頼性の高い感震ロック方式が求められていた。
【課題を解決する為の手段】
【０００４】地震等の振動により、扉、戸棚等の開き、又は転倒を防止したい物に取り付けられる係止具とこれに関係して開き、又は転倒を防止するロック装置本体からなり、このロック装置本体に球を収納し、球が転がる底面を球がＸ字状に転がる様ガイドするガイド溝を作り、しかも、Ｘ字状の溝のセンター向かい緩やかに低くなる傾斜が有り、センターが底面で最も低い凹部とする。
【０００５】振動が停止する時、或いは振動が無い時、球がこの一番低い凹部に停止する安定位置で、球と上部で接する係止体の位置でのみ、ロックされない様、係止体の球が接する部分も球の上面で凹となっており、かつ球が転がる方向を更に制約する突出部分と、振動が停止した時に底面のガイド溝方向とは異なる方向でゆっくり安定位置に戻れる狭い面を下面に持つ感震ロック装置にする事により前述の課題を解決する事が出来る。
【発明の効果】
【０００６】上記のように振動が無い時、ロック装置本体に球が決まった位置止まるような凹部を底面に作り、振動時、球が動く方向を規定する溝を作り、振動している時に球がガイド方向に転がるのを邪魔する障害突出部をＸ字状のセンター近傍に一部設けるのみで振動中にロックを解除する位置に球が行かない様にする事が出来、簡単な方法で安定したロック装置とする事が出来る。
【発明を実施する為の最良の形態】
【実施例】
【０００７】以下、図１〜８により本発明の最良の形態である感震ロック装置を扉に取り付けた実施例で説明する。
図１は扉の受ける本体５と扉６に本発明のロック装置本体１と係止具２を取り付けた断面図で、地震等の振動が無い安定した状態の球４、及び係止体３の位置、状態を示す図である。
すなわち、球４はロック装置本体１内の底面の最も低い位置、底面センター１Ａ有り、球４に上部で接触している係止体下面の凹部に接している為、係止体係止部３Ｂは図で最も高い所に位置し、係止具２に掛からずに扉６は図で右方向に開く事が出来る。【０００８】  次に振動が起きた時、球４がどのように動き係止体３が扉６をロックするかを説明する。
図２はロック装置本体１内の底面を示す図で１Ａは底面センターで最も低い位置でそこをセンターとしてＸ字状に４方に、なだらかに高くなって行くＸ溝部１Ｂとその溝部より高い面となってＸ溝以外底面１Ｃを斜線部で示す。
図２の中で、実線と一転鎖線と破線で球４が描かれているが、実線は振動が無い安定した時の球４の位置を示す。振動を始めると球４はＸ溝のどこかに位置する事となり、その例として図２の中に破線で球４が描かれているような位置を転がる。球４が底面センター１Ａ以外に有る時は係止体３の凹部以外と球４は接する事となり、係止体３はロック装置３内で下面を押し上げられる事となり、係止体軸３Ｃでの回転で係止体係止部３Ｂは低い位置となり扉６はロック状態となる。
係止体の下面の凹部の形の例として図５、６、７で示す。振動が継続中、球４はＸ溝部１Ｂに沿って動く様ガイドされるが、底面センター１Ａの方向に球が向かってきても障害突出部１Ｄが球の通る位置に有る為、球は底面センター１Ａにそのまま行く事が出来ない。
ところが振動が停止するとＸ溝の真ん中に近い部分はゆっくりならばＸ溝内の緩やかな勾配により球４がぎりぎり図２の左右方向にも動ける僅かなスペースとなだらかな勾配を底面センター１Ａに向かい設ける様にすれば球４は底面センター１Ａに収める事が出来る。その球の位置を図２の一点鎖線の球で示す。振動している時の破線の球の位置から振動停止時に底面センター１Ａに行くまでの一点鎖線の球、実線の球の動きの軌跡を図２に太い矢印で示す。
又、振動停止後球４の底面センター１Ａの落ち着いた時の断面図を図４に示す、この図４で球の両側に見える障害突出部１Ｄは球４との隙間を３ｍｍ以下の狭い隙間にする事により振動中に球が底面センター１Ａに行くのを防ぐ。
【産業上の利用の可能性】
【０００９】  自明ゆえ説明は省略
【図面の簡単な説明】
【００１０】
【図１】断面図  本発明の感震ロック装置の取り付け実施の状態を示す断面図である。
【図２】平面図  本発明感震ロック装置もロック装置本体の底面の平面図。
【図３】断面図  本発明の感震ロック装置本体内部の振動停止後、球の底面センターへ戻る途中、球が上下方向に動く時の球の位置を示す断面図。
【図４】断面図  本発明の感震ロック装置の本体内部の振動停止後、又は振動していない時の球の位置と障害突出部の位置関係を示す断面図。
【図５】平面図  本発明感震ロック装置の部品の一つ、係止体の平面図。
【図６】断面図  図５の中で示されているカット断面ｄ−ｄ’の断面図
【図７】断面図  図５の中で示されているカット断面Ｅｅ−ｅ’の断面図
【符号の説明】
【００１１】１    ロック装置本体
１Ａ  底面センター
１Ｂ  Ｘ溝
１Ｃ  溝以外底面
１Ｄ  障害突出部
２    係止具
３    係止体
３Ａ  係止体下面
３Ｂ  係止体係止部
３Ｃ  係止体軸
４    球
５    扉の受ける本体
６    扉
【図１】
2006090110.tif 000003
【図２】
2006090110.tif 000004
【図３】
2006090110.tif 000005
【図４】
2006090110.tif 000006
【図５】
2006090110.tif 000007
【図６】
2006090110.tif 000008
【図７】
2006090110.tif 000009